(57)【要約】  本発明の第１の目的は、運動実施者の身体の状態を考慮して、その運動実施者に十分に適した運動メニューを提供することが可能な、治療及び／又は運動の指導プロセス管理を実現することである。  上記目的は、クライアントにより操作されるクライアント側端末と、該クライアント側端末と通信により接続可能であり、トレーナーにより操作されるトレーナー側端末とにおいて実現される、治療及び／又は運動の指導プロセス管理システムであって、クライアントの静止状態及び／又は動作状態における姿勢を評価する評価手段と、評価手段による評価に基づいて、クライアントに実施させる運動を決定する運動決定手段と、評価手段による評価に関する情報、及び、運動決定手段によって決定された運動であって、クラインアントに実施された運動に関する情報を記憶する記憶手段と、を備える、治療及び／又は運動の指導プロセス管理システムにより達成される。
2019008771.tif 000002
【特許請求の範囲】
【請求項１】
クライアントにより操作されるクライアント側端末と、該クライアント側端末と通信により接続可能であり、トレーナーにより操作されるトレーナー側端末とにおいて実現される、治療及び／又は運動の指導プロセス管理システムであって、
クライアントの静止状態及び／又は動作状態における姿勢を評価する評価手段と、
評価手段による評価に基づいて、クライアントに実施させる運動を決定する運動決定手段と、
評価手段による評価に関する情報、及び、運動決定手段によって決定された運動であって、クラインアントに実施された運動に関する情報を記憶する記憶手段と、
を備える、治療及び／又は運動の指導プロセス管理システム。
【請求項２】
さらに、記憶手段に記憶された情報の少なくとも一部を、クライアント側端末及びトレーナー側端末において表示可能とする表示手段を備える、
請求項１に記載の治療及び／又は運動の指導プロセス管理システム。
【請求項３】
表示手段が、さらに、
評価手段によって評価したクライアントの静止状態及び／又は動作状態における姿勢に対応する、クライアントが目標とすべき姿勢を表す目標画像を表示する、
請求項２に記載の治療及び／又は運動の指導プロセス管理システム。
【請求項４】
表示手段が、さらに、
評価手段によって評価したクライアントの静止状態及び／又は動作状態における姿勢に対応し、クライアントの姿勢における所定の評価基準を満たさない要素の少なくとも一部が共通する、クライアントが目標とすべきではない姿勢を表す非目標画像を表示する、
請求項２又は３に記載の治療及び／又は運動の指導プロセス管理システム。
【請求項５】
記憶手段が、
評価に関する情報を、評価をした日付又は日時に関連付けて記憶し、
クライアントに実施された運動に関する情報を、運動が実施された日付又は日時に関連付けて記憶するものであり、
表示手段が、
記憶手段に記憶された情報の少なくとも一部を、時系列に沿って表示可能である、
請求項２〜４のいずれかに記載の治療及び／又は運動の指導プロセス管理システム。
【請求項６】
さらに、クライアントの身体において所定の症状が生じる部位、該部位における症状の種類、及び該部位における症状の度合いを入力する入力手段を備え、
表示手段が、
身体の外観に関する図面における所定の症状が生じる部位に対応する位置に、該部位における症状の種類、及び該部位における症状の度合いを示す情報を表示する、
請求項２〜５のいずれかに記載の治療及び／又は運動の指導プロセス管理システム。
【請求項７】
さらに、クライアント側端末及びトレーナー側端末から、メッセージ及び／又は画像の投稿を受け付ける投稿受付手段を備え、
表示手段が、さらに、投稿受付手段により受け付けられたメッセージ及び／又は画像を、クライアント側端末及びトレーナー側端末において表示する、
請求項２〜６のいずれかに記載の治療及び／又は運動の指導プロセス管理システム。
【請求項８】
さらに、クライアントを撮像可能な撮像手段を備え、
投稿受付手段が、撮像手段により撮像された、クライアントが実施した運動の画像の投稿を受け付け可能である、
請求項７に記載の治療及び／又は運動の指導プロセス管理システム。
【請求項９】
治療及び／又は運動の指導プロセス管理システムが、クライアントを撮像可能な撮像手段を備えるものであり、
評価手段が、撮像手段により撮像された画像に基づいて、クライアントの静止状態及び／又は動作状態における姿勢を評価するものである、
請求項１〜８のいずれかに記載の治療及び／又は運動の指導プロセス管理システム。
【請求項１０】
評価手段が、撮像手段により撮像された画像における、クライアントの所定の身体部位の位置、傾き、及び／又は、複数の所定の身体部位間における位置関係に基づいて、姿勢を評価する、
請求項９に記載の治療及び／又は運動の指導プロセス管理システム。
【請求項１１】
さらに、撮像手段により撮像された画像における、クライアントの所定の身体部位毎の位置及び／又は傾きを可視化するための複数のオブジェクトを表示するオブジェクト表示手段を備え、
評価手段が、オブジェクトの位置、傾き、及び複数のオブジェクト間における位置関係に基づいて、姿勢を評価する、
請求項９又は１０に記載の治療及び／又は運動の指導プロセス管理システム。
【請求項１２】
治療及び／又は運動の指導プロセス管理をコンピュータ装置に実行させるプログラムであって、
コンピュータ装置を、
クライアントの静止状態及び／又は動作状態における姿勢を評価する評価手段、
評価手段による評価に基づいて、クライアントに実施させる運動を決定する運動決定手段、
評価手段による評価に関する情報、及び、運動決定手段によって決定された運動であって、クラインアントに実施された運動に関する情報を記憶する記憶手段
として機能させる、プログラム。
【請求項１３】
治療及び／又は運動の指導プロセス管理を実行するコンピュータ装置であって、
クライアントの静止状態及び／又は動作状態における姿勢を評価する評価手段と、
評価手段による評価に基づいて、クライアントに実施させる運動を決定する運動決定手段と、
評価手段による評価に関する情報、及び、運動決定手段によって決定された運動であって、クラインアントに実施された運動に関する情報を記憶する記憶手段と、
を備える、コンピュータ装置。
【請求項１４】
治療及び／又は運動の指導プロセス管理方法であって、
クライアントの静止状態及び／又は動作状態における姿勢を評価する評価ステップと、
評価ステップにおける評価に基づいて、クライアントに実施させる運動を決定する運動決定ステップと、
評価ステップにおける評価に関する情報、及び、運動決定ステップにおいて決定された運動であって、クラインアントに実施された運動に関する情報をコンピュータ装置に記憶させる記憶ステップと、
を有する、治療及び／又は運動の指導プロセス管理方法。
【発明の詳細な説明】
【技術分野】
【０００１】
本発明は、治療及び／又は運動の指導プロセス管理システム、治療及び／又は運動の指導プロセス管理のためのプログラム、コンピュータ装置、並びに方法に関する。
【背景技術】
【０００２】
近年、自己の運動機能の増進を目的として、トレーニング施設を利用して運動を実施する者が増えている。トレーニング施設には、通常、施設の利用者へ運動のアドバイスを与えるインストラクターが配されており、利用者は、自己の目的とする運動機能の増進のためにどのような運動メニューを実施すべきかについて、インストラクターからアドバイスを受けることが可能である。しかし、インストラクターが他の利用者へアドバイスをしている場合など、利用者がアドバイスを受けられない状況も発生し得る。そのような場合、利用者は、自己の目的のためにどのような運動メニューを実施すべきかを把握することが困難になるという問題があった。【０００３】
このような問題を解決するため、例えば、特許文献１には、トレーニング施設内に設置された端末装置を用いて、利用者からトレーニング目的の入力を受け付け、そのトレーニング目的に適した運動メニューを利用者に提示する、支援システムが提案されている。【０００４】
ところで、整骨院、整体院、又はリハビリテーション施設などの治療施設においては、患者に種々の運動をさせることにより、患者の症状の軽減、治療、又は機能回復を図る、いわゆる運動療法が実施されている。運動療法は、糖尿病治療などにも有効な手段とされているが、運動療法は、患者が運動を適切に実施していない場合、十分な効果が得られないという問題があった。【０００５】
このような問題を解決するため、例えば、特許文献２には、患者が運動する様子を撮影した映像の解析結果と、筋電計によって得られる表面筋電図とに基づいて、患者の運動が適切に行なわれているか否かを評価する、運動支援システムが提案されている。
【先行技術文献】
【特許文献】
【０００６】
【特許文献１】特開２０１４−６８７６０号公報
【特許文献２】特開２０１６−１９６９５号公報
【発明の概要】
【発明が解決しようとする課題】
【０００７】
しかし、特許文献１に記載されている支援システムは、利用者のトレーニング目的に適した運動メニューを提示するものであるが、利用者の身体の状況を考慮していないため、その運動メニューが特定のトレーニング目的に対して有効なものであったとしても、その利用者にとって有効であるとは限らず、その利用者にとって有効でない場合は、十分な効果を得られないという問題があった。例えば、その利用者の体幹やその他の筋肉の状態などが、その運動メニューを実施するために適した状態にない場合、その運動メニューを実施する際に、本来は使うべきではない筋肉が使用されたり、関節や関節周囲の軟部組織に過剰な負荷がかかったりして、却って、故障や不定愁訴の問題を生じてしまう恐れがある。【０００８】
同様に、特許文献２に記載されている運動支援システムは、患者の運動が適切に実施されているか否かを評価することで、正しい動作で運動することを患者に促し、運動の効果を高めるものであるが、その運動メニュー自体が患者にとって適切なものでない場合、十分な効果を得られないという問題があった。その運動メニューが特定の症状に対して有効なものであったとしても、その患者にとって有効であるとは限らず、例えば、その患者の体幹やその他の筋肉の状態などが、その運動メニューを実施するために適した状態にない場合、却って、故障や不定愁訴の問題を生じてしまう恐れがある。【０００９】
また、一般的には、患者やトレーニング施設の利用者などの運動実施者が実施する運動メニューは、柔道整復師や理学療法士、インストラクターなどの運動指導者が、患者の症状や利用者の目的を考慮して決定することが多い。その際、仮に、運動指導者が、運動実施者の症状や目的だけではなく、その運動実施者の体幹やその他の筋肉の状態をも考慮して運動メニューを決定したとしても、その運動メニューの有効性は、運動指導者の知識や経験によって異なってくる。十分な知識や経験を有していない運動指導者では、運動実施者の身体の状況に対して適切な判断をすることが難しく、そのような運動指導者によって決定された運動メニューは、有効性が低いものになり易い。すなわち、従来の運動指導において、運動実施者に課される運動メニューは、その運動実施者の体幹やその他の筋肉の状態を考慮していない運動メニューや、その運動実施者の体幹やその他の筋肉の状態が適切に判断されずに決定された運動メニューになる等、その有効性が運動指導者の力量に依存した属人的なものとなっており、その有効性が十分に担保されているとはいえなかった。【００１０】
本発明は、上記のような問題に鑑みてなされたものである。すなわち、本発明の第１の目的は、運動実施者の身体の状態を考慮して、その運動実施者に十分に適した運動メニューを提供することが可能な、治療及び／又は運動の指導プロセス管理を実現することである。また、本発明の第２の目的は、運動メニューの決定に際する属人性を抑制し、一定以上の有効性が担保された運動メニューを提供することが可能な、治療及び／又は運動の指導プロセス管理を実現することである。
【課題を解決するための手段】
【００１１】
本発明の要旨は、以下の通りである。【００１２】
［１］クライアントにより操作されるクライアント側端末と、該クライアント側端末と通信により接続可能であり、トレーナーにより操作されるトレーナー側端末とにおいて実現される、治療及び／又は運動の指導プロセス管理システムであって、クライアントの静止状態及び／又は動作状態における姿勢を評価する評価手段と、評価手段による評価に基づいて、クライアントに実施させる運動を決定する運動決定手段と、評価手段による評価に関する情報、及び、運動決定手段によって決定された運動であって、クラインアントに実施された運動に関する情報を記憶する記憶手段と、を備える、治療及び／又は運動の指導プロセス管理システム。【００１３】
［２］さらに、記憶手段に記憶された情報の少なくとも一部を、クライアント側端末及びトレーナー側端末において表示可能とする表示手段を備える、上記［１］に記載の治療及び／又は運動の指導プロセス管理システム。【００１４】
［３］表示手段が、さらに、評価手段によって評価したクライアントの静止状態及び／又は動作状態における姿勢に対応する、クライアントが目標とすべき姿勢を表す目標画像を表示する、上記［２］に記載の治療及び／又は運動の指導プロセス管理システム。【００１５】
［４］表示手段が、さらに、評価手段によって評価したクライアントの静止状態及び／又は動作状態における姿勢に対応し、クライアントの姿勢における所定の評価基準を満たさない要素の少なくとも一部が共通する、クライアントが目標とすべきではない姿勢を表す非目標画像を表示する、上記［２］又は［３］に記載の治療及び／又は運動の指導プロセス管理システム。【００１６】
［５］記憶手段が、評価に関する情報を、評価をした日付又は日時に関連付けて記憶し、クライアントに実施された運動に関する情報を、運動が実施された日付又は日時に関連付けて記憶するものであり、表示手段が、記憶手段に記憶された情報の少なくとも一部を、時系列に沿って表示可能である、上記［２］〜［４］のいずれかに記載の治療及び／又は運動の指導プロセス管理システム。【００１７】
［６］さらに、クライアントの身体において所定の症状が生じる部位、該部位における症状の種類、及び該部位における症状の度合いを入力する入力手段を備え、表示手段が、身体の外観に関する図面における所定の症状が生じる部位に対応する位置に、該部位における症状の種類、及び該部位における症状の度合いを示す情報を表示する、上記［２］〜［５］のいずれかに記載の治療及び／又は運動の指導プロセス管理システム。【００１８】
［７］さらに、クライアント側端末及びトレーナー側端末から、メッセージ及び／又は画像の投稿を受け付ける投稿受付手段を備え、表示手段が、さらに、投稿受付手段により受け付けられたメッセージ及び／又は画像を、クライアント側端末及びトレーナー側端末において表示する、上記［２］〜［６］のいずれかに記載の治療及び／又は運動の指導プロセス管理システム。【００１９】
［８］さらに、クライアントを撮像可能な撮像手段を備え、投稿受付手段が、撮像手段により撮像された、クライアントが実施した運動の画像の投稿を受け付け可能である、上記［７］に記載の治療及び／又は運動の指導プロセス管理システム。【００２０】
［９］治療及び／又は運動の指導プロセス管理システムが、クライアントを撮像可能な撮像手段を備えるものであり、評価手段が、撮像手段により撮像された画像に基づいて、クライアントの静止状態及び／又は動作状態における姿勢を評価するものである、上記［１］〜［８］のいずれかに記載の治療及び／又は運動の指導プロセス管理システム。【００２１】
［１０］評価手段が、撮像手段により撮像された画像における、クライアントの所定の身体部位の位置、傾き、及び／又は、複数の所定の身体部位間における位置関係に基づいて、姿勢を評価する、上記［９］に記載の治療及び／又は運動の指導プロセス管理システム。【００２２】
［１１］さらに、撮像手段により撮像された画像における、クライアントの所定の身体部位毎の位置及び／又は傾きを可視化するための複数のオブジェクトを表示するオブジェクト表示手段を備え、評価手段が、オブジェクトの位置、傾き、及び複数のオブジェクト間における位置関係に基づいて、姿勢を評価する、上記［９］又は［１０］に記載の治療及び／又は運動の指導プロセス管理システム。【００２３】
［１２］治療及び／又は運動の指導プロセス管理をコンピュータ装置に実行させるプログラムであって、コンピュータ装置を、クライアントの静止状態及び／又は動作状態における姿勢を評価する評価手段、評価手段による評価に基づいて、クライアントに実施させる運動を決定する運動決定手段、評価手段による評価に関する情報、及び、運動決定手段によって決定された運動であって、クラインアントに実施された運動に関する情報を記憶する記憶手段として機能させる、プログラム。【００２４】
［１３］治療及び／又は運動の指導プロセス管理を実行するコンピュータ装置であって、クライアントの静止状態及び／又は動作状態における姿勢を評価する評価手段と、評価手段による評価に基づいて、クライアントに実施させる運動を決定する運動決定手段と、評価手段による評価に関する情報、及び、運動決定手段によって決定された運動であって、クラインアントに実施された運動に関する情報を記憶する記憶手段と、を備える、コンピュータ装置。【００２５】
［１４］治療及び／又は運動の指導プロセス管理方法であって、クライアントの静止状態及び／又は動作状態における姿勢を評価する評価ステップと、評価ステップにおける評価に基づいて、クライアントに実施させる運動を決定する運動決定ステップと、評価ステップにおける評価に関する情報、及び、運動決定ステップにおいて決定された運動であって、クラインアントに実施された運動に関する情報をコンピュータ装置に記憶させる記憶ステップと、を有する、治療及び／又は運動の指導プロセス管理方法。
【発明の効果】
【００２６】
本発明によれば、クライアントの静止状態及び／又は動作状態における姿勢を評価し、その評価に基づいて、クライアントに実施させる運動を決定することで、クライアントの身体の状態を考慮した、クライアントに十分に適した運動メニューを提供することが可能である。また、本発明によれば、上記のような構成により、運動メニューの決定に際する属人性を抑制し、一定以上の有効性が担保された運動メニューを提供することが可能である。
【図面の簡単な説明】
【００２７】
【図１】本発明の実施の形態の少なくとも１つに対応する、治療及び／又は運動の指導プロセス管理システムの構成を示す図である。
【図２】本発明の実施の形態の少なくとも１つに対応する、クライアント側端末の構成を示すブロック図である。
【図３】本発明の実施の形態の少なくとも１つに対応する、サーバ装置の構成を示すブロック図である。
【図４】本発明の実施の形態の少なくとも１つに対応する、トレーナー側端末の構成を示すブロック図である。
【図５】本発明の実施の形態の少なくとも１つに対応する、ステージ分類の一例を示す図である。
【図６】本発明の実施の形態の少なくとも１つに対応する、治療及び／又は運動の指導プロセス管理処理のフロ−チャートである。
【図７】本発明の実施の形態の少なくとも１つに対応する、クライアントの身体の状況に関する情報を入力するための表示画面の一例である。
【図８】本発明の実施の形態の少なくとも１つに対応する、姿勢評価に関する処理のフロ−チャートである。
【図９】本発明の実施の形態の少なくとも１つに対応する、オブジェクト生成方法に関する模式図である。
【図１０】本発明の実施の形態の少なくとも１つに対応する、筋の状態の評価に関する模式図である。
【図１１】本発明の実施の形態の少なくとも１つに対応する、姿勢評価に関する画像を表示する表示画面の一例である。
【図１２】本発明の実施の形態の少なくとも１つに対応する、マスタテーブルの一例である。
【発明を実施するための形態】
【００２８】
以下、図面等を用いて本発明の実施の形態について説明をするが、本発明の趣旨に反しない限り、本発明は以下の実施の形態に限定されない。図面において、人体の各部位に付された符号番号は、同一の部位であっても、異なる符合番号を付していることがある。また、本明細書において説明するフローチャートを構成する各処理の順序は、処理内容に矛盾や不整合が生じない範囲で順不同である。
【００２９】
なお、本明細書において、「クライアント」とは、運動を実施する者のことをいい、例えば、トレーニング施設の利用者、スポーツ愛好家、アスリート、運動療法を実施している患者などが含まれる。また、「トレーナー」とは、クライアントに対して運動の指導やアドバイスを行う者のことをいい、例えば、トレーニング施設のインストラクター、スポーツトレーナー、コーチ、柔道整復師、理学療法士などが含まれる。また、「画像」とは、静止画、動画のいずれであっても良い。
【００３０】
［第一の実施の形態］
まず、本発明の第一の実施の形態の概要について説明をする。以下では、第一の実施の形態として、クライアントにより操作されるクライアント側端末と、該クライアント側端末と通信により接続可能であり、トレーナーにより操作されるトレーナー側端末とにおいて実現される、治療及び／又は運動の指導プロセス管理システムを例示して説明をする。
【００３１】
図１は、本発明の実施の形態の少なくとも１つに対応する、治療及び／又は運動の指導プロセス管理システムの構成を示す図である。図示するように、本実施の形態における治療及び／又は運動の指導プロセス管理システムは、複数のクライアント側端末１（クライアント側端末１ａ、１ｂ、１ｃ・・・）と、通信ネットワーク２と、サーバ装置３と、複数のトレーナー側端末４（トレーナー側端末４ａ、４ｂ、４ｃ・・・）とから構成される。
【００３２】
クライアント側端末１は、通信ネットワーク２を介してサーバ装置３と接続されている。トレーナー側端末４は、通信ネットワーク２を介してサーバ装置３と接続されている。サーバ装置３は、クライアント側端末１及びトレーナー側端末４と常時接続されていなくてもよく、必要に応じて、それぞれの端末と接続が可能であればよい。なお、図１に示す構成では、クライアント側端末１とトレーナー側端末４とが、通信ネットワーク２とサーバ装置３とを介して、通信接続されているが、サーバ装置３を介さずに通信接続されるように構成しても良い。すなわち、サーバ装置３は備えていなくても良い。
【００３３】
クライアント側端末１は、クライアントが操作するための端末である。クライアント側端末１としては、例えば、パーソナルコンピュータ、スマートフォン、タブレット端末、携帯電話、ＰＤＡ等が挙げられるが、これに限定されない。クライアント側端末１は、通信ネットワーク２を介して、サーバ装置３又はトレーナー側端末４と接続可能な装置であれば良い。
【００３４】
通信ネットワーク２としては、例えば、インターネット、有線もしくは無線の公衆電話網、有線もしくは無線ＬＡＮ、又は専用回線等、有線又は無線の公知の各種の通信ネットワークを用いることができる。
【００３５】
サーバ装置３は、クライアント側端末１及びトレーナー側端末４の間で情報を送受信する機能や、クライアント側端末１及びトレーナー側端末４から受信した情報を記憶して管理する機能等を有する、管理・運営用サーバである。
【００３６】
トレーナー側端末４は、トレーナーが操作するための端末である。トレーナー側端末４としては、例えば、パーソナルコンピュータ、スマートフォン、タブレット端末、携帯電話、ＰＤＡ等が挙げられるが、これに限定されない。トレーナー側端末４は、通信ネットワーク２を介して、サーバ装置３又はクライアント側端末１と接続可能な装置であれば良い。
【００３７】
図２は、本発明の実施の形態の少なくとも１つに対応する、クライアント側端末の構成を示すブロック図である。クライアント側端末１は、制御部１１、ＲＡＭ（Ｒａｎｄｏｍ  Ａｃｃｅｓｓ  Ｍｅｍｏｒｙ）１２、記憶部１３、サウンド処理部１４、センサ部１６、グラフィックス処理部１８、表示部１９、通信インタフェース２０、インタフェース部２１、及びカメラ部２３を少なくとも備え、それぞれ内部バスにより接続されている。
【００３８】
制御部１１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成され、時間を計時する内部タイマを備えている。制御部１１は、記憶部１３に格納されたプログラムを実行し、クライアント側端末１の制御を行う。ＲＡＭ１２は、制御部１１のワークエリアである。記憶部１３は、プログラムやデータを保存するための記憶領域である。
【００３９】
制御部１１は、プログラム及びデータをＲＡＭ１２から読み出して処理を行う。制御部１１は、ＲＡＭ１２にロードされたプログラム及びデータを処理することで、サウンド出力の指示をサウンド処理部１４に出力したり、描画命令をグラフィックス処理部１８に出力したりする。
【００４０】
サウンド処理部１４は、スピーカであるサウンド出力装置１５に接続されている。制御部１１がサウンド出力の指示をサウンド処理部１４に出力すると、サウンド処理部１４は、サウンド出力装置１５にサウンド信号を出力する。サウンド出力装置１５からは、例えば、運動内容の指示や運動についてのフィードバックなどが、音声で出力されることが好ましい。
【００４１】
センサ部１６は、深度センサ、加速度センサ、ジャイロセンサ、ＧＰＳセンサ、指紋認証センサ、近接センサ、磁力センサ、輝度センサ、ＧＰＳセンサ、及び気圧センサからなる群より選択される少なくとも１以上のセンサを備えている。クライアントの実施する運動の様子を詳細にモニタするという観点からは、センサ部１６は、例えば、深度センサを備えていることが好ましい。なお、クライアントの実施する運動の様子を詳細にモニタすることを目的として、例えば、モーションキャプチャ装置、圧力センサ、筋電図測定器、又は超音波測定器などの外部装置を用いて、該外部装置からの情報をクライアント側端末１において受信しても良い。
【００４２】
グラフィックス処理部１８は、表示部１９に接続されている。表示部１９は、表示画面１９ａと、タッチ入力部１９ｂを備えている。制御部１１が描画命令をグラフィックス処理部１８に出力すると、グラフィックス処理部１８は、フレームメモリ（フレームバッファ）１７に画像を展開し、表示画面１９ａに画像を表示するためのビデオ信号を出力する。タッチ入力部１９ｂは、クライアントの操作入力を受け付けるものであり、タッチ入力部１９ｂ上における指やスタイラス等による押圧や、指等の位置の移動を検知し、その座標位置の変化等を検出する。表示画面１９ａ及びタッチ入力部１９ｂは、例えば、タッチパネルのように、一体的に構成されていてもよい。
【００４３】
グラフィックス処理部１８は、フレーム単位で１枚の画像の描画を実行する。画像の１フレーム時間は、例えば３０分の１秒である。グラフィックス処理部１８は、制御部１１だけで行ってきた描画に関する演算処理の一部を受け持ち、システム全体の負荷を分散させる役割を有する。
【００４４】
通信インタフェース２０は、無線又は有線により通信ネットワーク２に接続が可能であり、通信ネットワーク２を介してデータを送受信することが可能である。通信ネットワーク２を介して受信したデータは、ＲＡＭ１２にロードされ、制御部１１により演算処理が行われる。
【００４５】
インタフェース部２１には、入力部２２（例えば、マウスやキーボード等）が接続され得る。クライアントによる入力部２２からの入力情報は、ＲＡＭ１２に格納され、制御部１１は、入力情報をもとに各種の演算処理を実行する。あるいは、インタフェース部２１に記憶媒体読取装置を接続し、外部メモリ等からプログラム及びデータ等を読み込むことも可能である。また、タッチパネルを備えた表示部１９を、入力部２２とすることもできる。
【００４６】
カメラ部２３は、クライアントを撮像するものであり、例えば、クライアントの静止状態及び／又は動作状態における姿勢や、クライアントが運動を実施している様子などを撮像する。カメラ部２３により撮像された画像は、グラフィックス処理部１８に出力される。なお、カメラ部２３はクライアント側端末１に備えられていなくても良く、例えば、外部の撮像装置によって撮像した画像を取り込むことで、クライアントを撮像した画像を取得しても良い。
【００４７】
図３は、本発明の実施の形態の少なくとも１つに対応する、サーバ装置の構成を示すブロック図である。サーバ装置３は、制御部３１、ＲＡＭ３２、記憶部３３、及び通信インタフェース３４を少なくとも備え、それぞれ内部バスにより接続されている。
【００４８】
制御部３１は、ＣＰＵやＲＯＭから構成され、時間を計時する内部タイマを備えている。制御部３１は、記憶部３３に格納されたプログラムを実行し、サーバ装置３の制御を行う。ＲＡＭ３２は、制御部３１のワークエリアである。記憶部３３は、プログラムやデータを保存するための記憶領域である。制御部３１は、プログラム及びデータをＲＡＭ１２から読み出し、クライアント側端末１から受信した情報等をもとに、プログラム実行処理を行う。
【００４９】
通信インタフェース３４は、無線又は有線により通信ネットワーク２に接続が可能であり、通信ネットワーク２を介してデータを送受信することが可能である。通信ネットワーク２を介して受信したデータは、例えば、ＲＡＭ３２にロードされ、制御部３１により演算処理が行われる。
【００５０】
図４は、本発明の実施の形態の少なくとも１つに対応する、トレーナー側端末の構成を示すブロック図である。トレーナー側端末４は、制御部４１、ＲＡＭ４２、記憶部４３、サウンド処理部４４、センサ部４６、グラフィックス処理部４８、表示部４９、通信インタフェース５０、インタフェース部５１、及びカメラ部５３を少なくとも備え、それぞれ内部バスにより接続されている。
【００５１】
制御部４１は、ＣＰＵやＲＯＭから構成され、時間を計時する内部タイマを備えている。制御部４１は、記憶部４３に格納されたプログラムを実行し、トレーナー側端末４の制御を行う。ＲＡＭ４２は、制御部４１のワークエリアである。記憶部４３は、プログラムやデータを保存するための記憶領域である。
【００５２】
制御部４１は、プログラム及びデータをＲＡＭ４２から読み出して処理を行う。制御部４１は、ＲＡＭ４２にロードされたプログラム及びデータを処理することで、サウンド出力の指示をサウンド処理部４４に出力したり、描画命令をグラフィックス処理部４８に出力したりする。
【００５３】
サウンド処理部４４は、スピーカであるサウンド出力装置４５に接続されている。制御部４１がサウンド出力の指示をサウンド処理部４４に出力すると、サウンド処理部４４は、サウンド出力装置４５にサウンド信号を出力する。
【００５４】
センサ部４６は、深度センサ、加速度センサ、ジャイロセンサ、ＧＰＳセンサ、指紋認証センサ、近接センサ、磁力センサ、輝度センサ、ＧＰＳセンサ、及び気圧センサからなる群より選択される少なくとも１以上のセンサを備えている。クライアントの実施する運動の様子を詳細にモニタするという観点からは、センサ部４６は、例えば、深度センサを備えていることが好ましい。なお、クライアントの実施する運動の様子を詳細にモニタすることを目的として、例えば、モーションキャプチャ装置、圧力センサ、筋電図測定器、又は超音波測定器などの外部装置を用いて、該外部装置からの情報をトレーナー側端末４において受信しても良い。
【００５５】
グラフィックス処理部４８は、表示部４９に接続されている。表示部４９は、表示画面４９ａと、タッチ入力部４９ｂを備えている。制御部４１が描画命令をグラフィックス処理部４８に出力すると、グラフィックス処理部４８は、フレームメモリ４７に画像を展開し、表示画面４９ａに画像を表示するためのビデオ信号を出力する。タッチ入力部４９ｂは、トレーナーの操作入力を受け付けるものであり、タッチ入力部４９ｂ上における指やスタイラス等による押圧や、指等の位置の移動を検知し、その座標位置の変化等を検出する。表示画面４９ａ及びタッチ入力部４９ｂは、例えば、タッチパネルのように、一体的に構成されていてもよい。
【００５６】
グラフィックス処理部４８は、フレーム単位で１枚の画像の描画を実行する。画像の１フレーム時間は、例えば３０分の１秒である。グラフィックス処理部４８は、制御部４１だけで行ってきた描画に関する演算処理の一部を受け持ち、システム全体の負荷を分散させる役割を有する。
【００５７】
通信インタフェース５０は、無線又は有線により通信ネットワーク２に接続が可能であり、通信ネットワーク２を介してデータを送受信することが可能である。通信ネットワーク２を介して受信したデータは、ＲＡＭ４２にロードされ、制御部４１により演算処理が行われる。
【００５８】
インタフェース部５１には、入力部５２（例えば、マウスやキーボード等）が接続され得る。トレーナーによる入力部５２からの入力情報は、ＲＡＭ４２に格納され、制御部４１は、入力情報をもとに各種の演算処理を実行する。あるいは、インタフェース部５１に記憶媒体読取装置を接続し、外部メモリ等からプログラム及びデータ等を読み込むことも可能である。また、タッチパネルを備えた表示部４９を、入力部５２とすることもできる。
【００５９】
カメラ部５３は、クライアントを撮像するものであり、例えば、クライアントの静止状態及び／又は動作状態における姿勢や、クライアントが運動を実施している様子などを撮像する。カメラ部５３により撮像された画像は、グラフィックス処理部４８に出力される。なお、カメラ部５３はトレーナー側端末４に備えられていなくても良く、例えば、外部の撮像装置によって撮像した画像を取り込むことで、クライアントを撮像した画像を取得しても良い。
【００６０】
次に、本発明の実施の形態の少なくとも１つに対応する、治療及び／又は運動の指導プロセス管理システムが有する機能について説明をする。該システムは、例えば、入力受付機能、撮像機能、オブジェクト生成機能、姿勢評価機能、筋状態評価機能、表示機能、ステージ決定機能、運動メニュー決定機能、送信機能、受信機能、及び記憶機能を備える。
【００６１】
入力受付機能は、クライアント側端末１及びトレーナー側端末４の双方に備えられており、クライアントやトレーナーによる各端末への操作入力を受け付ける機能を有する。操作入力は、例えば、各端末に備えられたタッチパネルやキーボードなどの入力装置を介して行うことができる。入力受付機能は、例えば、クライアントの主訴や運動目的、実施した運動等のクライアントに関する情報や、クライアントとトレーナー間のコミュニケーションに関する情報の入力を受け付ける。
【００６２】
撮像機能は、クライアントを撮像する機能を有する。撮像機能は、クライアント側端末１又はトレーナー側端末４の少なくとも一方に備えられていることが好ましく、双方に備えられていることがより好ましい。なお、撮像機能に代えて、外部の撮像装置によって撮像した画像を各端末へ取り込み可能なように構成しても良い。
【００６３】
オブジェクト生成機能は、クライアントの静止状態及び／又は動作状態における姿勢を撮像した画像に基づいて、クライアントの所定の部位に対応する所定のオブジェクトを生成する機能である。生成されたオブジェクトは、表示画面１９ａや表示画面４９ａに表示することができる。なお、撮像した画像が動画である場合は、例えば、動画を構成する各フレーム毎にオブジェクトを生成しても良いし、動画を一時停止して得られる静止画像など、動画を構成する所定のフレームに対してのみ、オブジェクトを生成しても良い。
【００６４】
姿勢評価機能は、クライアントの静止状態及び／又は動作状態における姿勢を評価する機能を有する。姿勢評価機能は、例えば、クライアントの静止状態及び／もしくは動作状態における姿勢を撮像した画像、又は、オブジェクト生成機能により生成されたオブジェクトに基づいて、クライアントの姿勢を評価することができる。姿勢評価機能は、予め設定された、理想的な姿勢との相違を示す複数の姿勢パターンのうち、クライアントの姿勢がどのパターンに属するかを自動算出する機能を有することが好ましい。
【００６５】
筋状態評価機能は、クライアントの所定の部位における筋の状態を推察し導き出す機能を有する。筋状態評価機能は、例えば、クライアントの静止状態及び／もしくは動作状態における姿勢、オブジェクト生成機能により生成されたオブジェクト、又はクライアントの姿勢のパターンのうちの少なくとも１つに基づいて、筋の状態を推察する。筋状態評価機能は、例えば、クライアントの所定の部位における筋の状態が、緊張（短縮）した緊張亢進の状態にあるか、弛緩（弱化）した緊張低下の状態にあるか、又は正常な状態にあるかを推察することができる。なお、オブジェクト生成機能、姿勢評価機能、及び筋状態評価機能に関しては、後の段落で詳述する。
【００６６】
表示機能は、クライアント側端末１及びトレーナー側端末４の双方に備えられており、例えば、メニュー画面、入力受付画面、姿勢評価に関する情報、運動メニューに関する情報、後述の投稿受付機能が受け付けた投稿内容などの各種情報を、クライアントやトレーナーが認識可能な態様で表示する機能を有する。
【００６７】
ステージ決定機能は、クライアントの静止状態及び／もしくは動作状態における姿勢、オブジェクト生成機能により生成されたオブジェクト、又は、クライアントの主訴や運動目的などのクライアントに関する情報の少なくとも１以上に基づいて、予め設定された複数のステージの中から、クライアントが属するステージを決定する機能を有する。ここで、「ステージ」とは、例えば、クライアントの身体の状態を段階的に分類したものをいい、ステージを分類するための基準は、適宜設定することが可能である。
【００６８】
図５は、本発明の実施の形態の少なくとも１つに対応する、ステージ分類の一例を示す図である。図５の例では、クライアントの身体の状態を、ステージ１０１〜１０６の６つに分類しており、各ステージで生じている問題や課題が解決できた場合、一つ以上上のステージに移動することになる。
【００６９】
ステージ１０１「不定愁訴・障害レベル３」は、身体を動かさずとも、身体の少なくとも一部に常に痛みなどが生じている状態である。ステージ１０１に分類される場合、例えば、投薬や身体を安静に保たせること等により、クライアントの症状をコントロールしながら運動を実施させて、改善を図っていく。ステージ１０２「不定愁訴・障害レベル２」は、身体を動かしている最中に、身体の少なくとも一部に痛みが生じる状態である。ステージ１０２に分類される場合は、体力が低下していく状態にあると考えられ、例えば、フィジカルセラピーや身体の一部を安静に保たせること等により、クライアントの症状をコントロールしながら運動を実施させて、改善を図っていく。
【００７０】
ステージ１０３「不定愁訴・障害レベル１」は、身体を動かした後に、身体の少なくとも一部に痛みが生じる状態である。ステージ１０３に分類される場合は、機能的動作が破綻（身体の基本機能が低下）した状態にあると考えられ、例えば、クライアントに基本機能を向上させる運動を含む適切な運動を実施させた後に、マッサージやストレッチなど、運動後のアフターケアをすることにより、改善を図っていく。
【００７１】
ステージ１０４〜１０６はいずれも、身体に痛みを生じることなく動作を行える状態である。ステージ１０４「機能的動作向上」は、安定性と全身の協調性の獲得等により機能的動作の向上を目指す段階である。ステージ１０４に分類される場合は、例えば、コンディショニングやトリートメント等により改善を図っていく。
【００７２】
ステージ１０５「身体能力向上」は、より高い負荷に耐えられる身体を獲得し、筋力、敏捷性、心配機能等の身体能力の向上を目指す段階である。ステージ１０５に分類される場合は、例えば、フィットネスやトレーニング等により改善を図っていく。ステージ１０６「技術向上」は、身体を上手に操作する技術や各種スポーツ等の技術の向上を目指す段階である。ステージ１０６に分類される場合は、例えば、各種スポーツの練習や実践、日常生活動作の実践等により改善を図っていく。
【００７３】
上記のように、身体の状態を段階的にステージ分類し、クライアントが属するステージを決定することにより、クライアントは、自己の身体の現状を把握しやすくなる。さらに、クライアントが目標とするステージを設定可能にすることにより、例えば、クライアントが属するステージから、クライアントが目標とするステージに到達するまでのプロセスをクライアントとトレーナー間で共有することが可能になり、両者にとってより満足度の高いシステムとすることができる。
【００７４】
システムの機能の説明に戻る。運動メニュー決定機能は、クライアントの静止状態及び／もしくは動作状態における姿勢、又は、オブジェクト生成機能により生成されたオブジェクトに基づいて、クライアントに実施させる運動メニューを決定する機能を有する。運動メニュー決定機能は、さらに、クライアントの主訴や運動目的などのクライアントに関する情報に基づいて、運動メニューを決定することが好ましい。なお、運動メニュー決定機能は、クライアントに実施させる運動メニューの候補を決定するものであっても良く、このように構成した場合、例えば、運動メニューの候補の中から、クライアントが実施する運動メニューを、トレーナー又はクライアントが選択できるようにすれば良い。
【００７５】
送信機能は、クライアント側端末１、サーバ装置３、及びトレーナー側端末４に備えられている。送信機能は、治療及び／又は運動の指導プロセス管理を実現するために必要な情報を、送信元となるクライアント側端末１、サーバ装置３、又はトレーナー側端末４から、送信先となるクライアント側端末１、サーバ装置３、又はトレーナー側端末４へと送信する機能を有する。
【００７６】
受信機能は、クライアント側端末１、サーバ装置３、及びトレーナー側端末４に備えられている。受信機能は、治療及び／又は運動の指導プロセス管理を実現するために必要な情報を、送信元であるクライアント側端末１、サーバ装置３、又はトレーナー側端末４から、受信する機能を有する。
【００７７】
記憶機能は、少なくとも、姿勢評価機能による姿勢の評価に関する情報、及び、運動メニュー決定機能によって決定された運動メニューであって、クラインアントに実施された運動メニューに関する情報を記憶する機能を有する。また、記憶機能は、姿勢の評価に関する情報、クライアントに実施された運動メニューに関する情報を、それらが実施された日付又は日時に関連付けて記憶することが好ましい。また、記憶機能は、例えば、入力受付機能により入力を受け付けた情報なども記憶可能であることが好ましく、該情報についても、情報が入力された又は情報が送信された日付又は日時に関連付けて記憶可能であることが好ましい。記憶機能は、クライアント側端末１、サーバ装置３、又はトレーナー側端末４のうちの少なくとも１つ以上に備えられていれば良いが、少なくともサーバ装置３に備えられていることが好ましい。
【００７８】
上述したオブジェクト生成機能、姿勢評価機能、筋状態評価機能、ステージ決定機能、運動メニュー決定機能は、クライアント側端末１、サーバ装置３、又はトレーナー側端末４のうちの少なくとも１つ以上に備えられていれば良いが、少なくともトレーナー側端末４に備えられていることが好ましく、少なくともクライアント側端末１及びトレーナー側端末４に備えられていることがより好ましい。
【００７９】
次に、本実施の形態における、治療及び／又は運動の指導プロセス管理処理について説明する。図６は、本発明の実施の形態の少なくとも１つに対応する、治療及び／又は運動の指導プロセス管理処理のフロ−チャートである。
【００８０】
第一の実施の形態の前提として、例えば、クライアント側端末１及びトレーナー側端末４には、第一の実施の形態に係るシステムを利用するためのアプリケーションがインストールされる。クライアント側端末１においてアプリケーションを起動すると、例えば、予め設定されたクライアントのアカウントやパスワードなどに関する情報、又は起動時に取得したクライアント側端末１の識別情報がサーバ装置３に送信されて認証されることを条件に、アプリケーションの利用が許可され、サーバ装置３に記憶されている該クライアントに関連付けられた情報の閲覧や利用が可能になる。
【００８１】
また、トレーナー側端末４においてアプリケーションを起動すると、例えば、予め設定されたトレーナーのアカウントやパスワードなどに関する情報、又は起動時に取得したトレーナー側端末４の識別情報がサーバ装置３に送信されて認証されることを条件に、アプリケーションの利用が許可され、サーバ装置３に記憶されている該トレーナーに関連付けられた情報の閲覧や利用が可能になる。トレーナーに関連付けられた情報には、例えば、該トレーナーが運動指導をしている複数のクライアントに関する情報が含まれる。なお、トレーナー側端末４又はクライアント側端末１からの要求に応じて、トレーナー情報とクライアント情報の関連付けを解除し、例えば、該クライアント情報を他のトレーナーのトレーナー情報と関連付けることも可能である。
【００８２】
トレーナーは、トレーナー側端末４に表示される、トレーナーが運動指導をしている複数のクライアントに関する情報の中から、これから運動指導を行うクライアントを選択する。なお、これから運動指導を行うクライアントが、本システムを初めて利用する者である場合、例えば、クライアント側端末１又はトレーナー側端末４において、該クライアントを本システムの利用者として登録するための登録処理がなされる。登録処理においては、例えば、クライアントの氏名、性別、年齢、生活習慣、運動習慣、症状、運動目的などに関する情報の入力を受け付け、受け付けた情報が、サーバ装置３に記憶される。以下では、主に、本システムを既に利用したことのあるクライアントに対して運動指導を行う場合について説明をする。
【００８３】
まず、トレーナー側端末４において、クライアントに関する情報の入力を受け付ける（ステップＳ１）。入力されるクライアントに関する情報は、例えば、クライアントの主訴や、痛み又は違和感などのクライアントの身体の状況に関する情報である。なお、クライアントの身体の状況等が、前回の指導時と変わりないようであれば、ステップＳ１は省略しても良い。
【００８４】
図７は、本発明の実施の形態の少なくとも１つに対応する、クライアントの身体の状況に関する情報を入力するための表示画面の一例である。トレーナー側端末４の表示画面には、身体模式画像２０１ａ、２０１ｂ、症状選択欄２０２、及び症状レベル選択欄２０３が表示されている。トレーナーは、クライアントに対するヒアリング結果に基づいて、クライアントに生じている症状の種類、該症状が生じている部位、及び該部位における症状の度合いを入力する。
【００８５】
身体模式画像２０１ａは、身体前面を表す模式図であり、身体模式画像２０１ｂは、身体後面を表す模式図である。症状選択欄２０２は、身体に生じている症状の種類を選択するための欄である。症状選択欄２０２に表示される症状の種類としては、例えば、「痛み（常時）」、「痛み（運動中）」、「痛み（運動後）」、「違和感」、「痺れ」などが挙げられるが、これらに限定されるわけではない。
【００８６】
また、症状選択欄２０２に表示される各症状には、それぞれに対応するマーカが設定されている。各マーカは、それぞれ、色または模様などが異なるものであることが好ましい。例えば、トレーナーが、症状選択欄２０２から「痛み（常時）」を選択し、身体模式画像２０１ａの左肩部をタッチすると、「痛み（常時）」に対応するマーカが、タッチ操作された箇所に表示される。このような構成により、クライアントに生じている症状の種類、及び該症状が生じている部位が容易に把握できるようになる。また、タッチ操作の回数に応じて、マーカの色濃度が変更されるように構成することにより、クライアントに生じている症状の種類、及び該症状が生じている部位に加えて、さらに、該症状の度合いも容易に把握できるようになる。また、色濃度に基づいて、症状の度合いを数値化できることが好ましい。
【００８７】
症状レベル選択欄２０３は、痛みや違和感などの各種症状の度合いを、選択するための欄である。各種症状の度合いは、例えば、ＮＲＳ（Ｎｕｍｅｒｉｃａｌ  Ｒａｔｉｎｇ  Ｓｃａｌｅ）、ＶＲＳ（Ｖｅｒｂａｌ  Ｒａｔｉｎｇ  Ｓｃａｌｅ）、又はＦＰＳ（Ｆａｃｅ  Ｐａｉｎ  Ｓｃａｌｅ）などの尺度を用いて評価することができる。図７の例においては、ＮＲＳを用いている。ＮＲＳは、全く症状（痛み）がない状態を「０」、想像しうる最悪の痛みを「１０」として、症状の度合いを０〜１０までの１１段階で評価する方法である。なお、症状の度合いが「０」の場合は、入力する必要がないため、症状レベル選択欄２０３には、１〜１０までの数字が表示される。
【００８８】
例えば、トレーナーが、症状レベル選択欄２０３から「３」を選択し、身体模式画像２０１ａの左肩部をタッチすると、身体模式画像２０１ａにおける左肩部の近傍に「３」という数字が表示される。このような構成により、クライアントに生じている症状の度合いを容易に把握することができるようになる。
【００８９】
図６のフローチャートの説明に戻る。トレーナー側端末４は、クライアントの静止状態及び／又は動作状態における姿勢を撮像する（ステップＳ２）。静止状態としては、例えば、立位、立位前屈、立位後屈、立位回旋、座位、又は膝立ちなどの姿勢を保った状態が好ましいが、これらに限定されるわけではない。また、動作状態としては、例えば、支持基底面が移動しない多関節運動を実施している状態であることが好ましく、具体的には、オーバーヘッド・スクワット、シングルレッグ・スクワット、スクワット・アンド・ヒップローテーション、立位前屈、立位後屈、立位回旋、肩外転、又は肩水平内転などが好ましいが、これらに限定されるわけではない。評価の容易さや正確性を高めるという観点からは、ステップＳ２において、立位、オーバーヘッド・スクワット、又はスクワット・アンド・ヒップローテーションのうち少なくとも１以上をクライアントに実施させて、クライアントの姿勢を撮像することが好ましい。
【００９０】
また、ステップＳ２における姿勢は、クライアントを所定の運動補助具にのせた状態の姿勢であっても良い。運動補助具としては、例えば、略円柱状または略半円柱状のものを用いるのが好ましく、具体的には、株式会社ＬＰＮ製のストレッチポール（登録商標）や、ストレッチポール（登録商標）ハーフカットなどが挙げられる。ステップＳ２においてこれらのような運動補助具を用いる場合、例えば、運動補助具の上で仰臥位の姿勢を保った状態、運動補助具の上で仰臥位になり軸回旋をおこなう動作、運動補助具の上で仰臥位または腹臥位になり手足の挙上をおこなう動作などにおける、姿勢を撮像することが好ましい。
【００９１】
また、運動補助具としては、例えば、クライアントの腹部を支持する腹部支持部と、腹部支持部における腹部を支持する側とは対向する側に、腹部を支持した状態で左右に動く運動を可能にする隆起部を有するものであって、クライアントが伏臥位をとった際にクライアントの腹部を支持することができ、クライアントがその状態で四肢の運動を行うことができるものであることも好ましく、具体的には、株式会社ＬＰＮ製のスイングストレッチ（登録商標）などが挙げられる。ステップＳ２においてこのような運動補助具を用いる場合、例えば、運動補助具の上で腹臥位になって床に両肘と両膝をつけた状態から、対角にある手と脚を床から持ち上げる動作などにおける、姿勢を撮像することが好ましい。
【００９２】
また、撮像は、クライアントに実施させる内容に応じて、クライアントの正面から、側面から、又は正面及び側面の２方向から行われる。例えば、立位、及びオーバーヘッド・スクワットの場合は、正面及び側面の２方向から撮像することが好ましく、スクワット・アンド・ヒップローテーションの場合は、正面から撮像することが好ましい。クライアントに実施させる内容に応じて、撮像する方向を変えることで、より正確な姿勢評価が可能になる。
【００９３】
次に、トレーナー側端末４は、ステップＳ２において撮像された画像に基づいて、クライアントの静止状態及び／又は動作状態における姿勢を評価する（ステップＳ３）。ここで、ステップＳ３における姿勢の評価について、図８を用いて詳細に説明をする。図８は、本発明の実施の形態の少なくとも１つに対応する、姿勢評価に関する処理のフロ−チャートである。
【００９４】
まず、トレーナー側端末４は、ステップＳ２において撮像された画像に基づいて、クライアントの身体の所定の部位にそれぞれ対応する、所定のオブジェクトを生成し、ステップＳ２において撮像された画像と重ね合わせるように、一体的に表示する（ステップＳ３１）。次に、ステップＳ３１において表示されたオブジェクトが、クライアントの身体の所定の部位に十分に対応した位置に表示されていない場合、トレーナー側端末４は、オブジェクト位置を変更するための入力を、トレーナーから受け付ける（ステップＳ３２）。
【００９５】
図９は、本発明の実施の形態の少なくとも１つに対応する、オブジェクト生成方法に関する模式図である。図９（ａ）は、両足の第２趾のそれぞれが正面を向き平行になるように、クライアントを所定の位置に直立させ、目線の高さにある指定物を直視させた状態（立位姿勢）を正面から撮像した画像を用いた場合のオブジェクトの生成方法の一例を、人体骨格図３０１を用いて示している。
【００９６】
人体骨格図３０１上には、人体骨格図における所定の部位に対応する、頭部オブジェクト３０２、胸郭オブジェクト３０３、骨盤オブジェクト３０４、膝部オブジェクト３０５、及び足部オブジェクト３０６が示されている。また、人体骨格図３０１上には、各オブジェクトを連結する複数の連結線３０７ａ〜ｄ、及び重心線３０８が示されている。
【００９７】
頭部オブジェクト３０２は、例えば、左右の外耳孔の位置同士を結んだラインを横の基準ラインとし、眉間の位置と鼻溝の位置同士を結んだ顔面正中ラインを縦の基準ラインとし、上記それぞれの基準ラインを頭蓋骨外輪に合うように平行移動して作成されることが好ましい。胸郭オブジェクト３０３は、例えば、左右の肩峰の位置同士を結ぶラインと、左右の肋骨弓の位置同士を結ぶラインとをそれぞれ横のラインとし、胸骨柄頚切痕の位置と剣状突起の位置同士を結ぶラインを縦の基準ラインとして、縦の基準ラインを肋骨外輪に合わせて平行移動して作成されることが好ましい。
【００９８】
骨盤オブジェクト３０４は、例えば、左右の腸骨稜の位置同士を結ぶラインを横の基準ラインとし、恥骨結合の位置とお臍の位置とを結んだラインを縦の基準ラインとして、上記それぞれの基準ラインを骨盤外輪に合うように平行移動して作成されることが好ましい。右の膝部オブジェクト３０５ａと、左の膝部オブジェクト３０５ｂは、例えば、膝関節（膝蓋骨の中心）の位置及び大きさに対応するように作成されることが好ましい。
【００９９】
右の足部オブジェクト３０６ａと、左の足部オブジェクト３０６ｂは、例えば、足部外輪全体に基づいて作成することができ、具体的には、足趾の先端を通る水平ライン、内果を通る水平ライン、内果を通る垂直ライン、及び中足趾節関節の外側縁を通る垂直ラインにより作成されることが好ましい。連結線３０７は、隣り合うオブジェクト同士を連結し、隣り合うオブジェクト間における骨格の様子等を視覚化するためのものである。重心線３０８は、例えば、足部オブジェクト３０６ａ及び３０６ｂのそれぞれの中心点を結んだ線分の中点を通り、床面に垂直なラインとすることが好ましい。
【０１００】
連結線３０７は、隣り合うオブジェクト同士を連結し、隣り合うオブジェクト間における骨格の様子等を視覚化するためのものである。例えば、連結線３０７ａは、頚椎に対応するように作成され、連結線３０７ｂは、腰椎に対応するように作成され、連結線３０７ｃは、大腿骨に対応するように作成され、連結線３０７ｄは、脛骨に対応するように作成されることが好ましい。
【０１０１】
なお、各オブジェクトは、各身体部位の位置や傾きを視覚的に把握しやすいようにすることを目的として生成されるものである。従って、オブジェクトを生成せずとも、上述したオブジェクトを生成するための基準点及び基準ラインに基づいて、姿勢の評価を行うことも可能である。また、オブジェクトの形状は、図９に示される四角形型、丸型に限定されるわけではなく、クライアントの各身体部位の位置や傾きを視覚的に把握できるものであれば、どのような形状であっても良い。
【０１０２】
図９（ｂ）は、立位姿勢を正面から撮像した姿勢画像に基づいて所定のオブジェクト生成し、該所定のオブジェクトを姿勢画像に重畳して表示した例である。姿勢画像３１１上には、クライアントの身体の所定の部位に対応する、頭部オブジェクト３１２、胸郭オブジェクト３１３、骨盤オブジェクト３１４、膝部オブジェクト３１５、及び足部オブジェクト３１６が示されている。また、姿勢画像３１１上には、各オブジェクトを連結する複数の連結線３１７ａ〜ｄ、及び重心線３１８が示されている。なお、図中に示す矢印は、各オブジェクトの傾きを把握しやすくするために表示されている。
【０１０３】
図９（ｂ）において、各オブジェクト等は、図９（ａ）にて説明した方法を用いて作成されたものである。各オブジェクト等は、例えば、従来公知のモーションキャプチャに関する技術や、画像認識に関する技術を用いて、トレーナー側端末４により作成されることが好ましい。モーションキャプチャを利用する場合、例えば、上述したような各オブジェクトを作成するための基準ラインの起点となる位置にマーカを取り付けて、マーカの位置を検出することにより、各オブジェクト等を作成することができる。
【０１０４】
また、ステップＳ２における撮像時に、例えば、表示画面に図９（ａ）に示した人体骨格図のようなオブジェクト生成の基準となる基準画像を表示し、該基準画像と、クライアントの身体との位置を合わせて撮像することにより、基準画像に基づいて作成された各オブジェクトを、姿勢画像に重畳して表示するように構成しても良い。
【０１０５】
作成されたオブジェクト等の位置や大きさなどが、姿勢画像と合致していない場合、例えば、トレーナーによる入力を受け付けて、オブジェクト等の位置や大きさ、傾きを修正することが可能である。
【０１０６】
なお、ステップＳ２において撮像された画像が動画である場合、すなわち、評価対象がクライアントの動作状態における姿勢である場合は、評価すべき所定のフレームで動画を一時停止して得られる静止画像に基づいて、オブジェクトを生成することが好ましい。オブジェクトの生成方法は、上記した方法と同様の方法を用いても良いし、各動作に設定された基準に従った方法であっても良い。なお、オブジェクトによる評価の正確性を高めるという観点からは、ステップＳ２で実施する動作は、動作中に脊柱や胴体の形状が屈曲・伸展・回旋のような変化を含まない動作であることが好ましいが、限定されるわけではない。動作中に脊柱や胴体の形状が屈曲・伸展・回旋のような変化を含まない動作としては、例えば、オーバーヘッド・スクワット、シングルレッグ・スクワット、スクワット・アンド・ヒップローテーションなどが挙げられる。
【０１０７】
図８のフローチャートの説明に戻る。トレーナー側端末４は、オブジェクトの位置等を評価する（ステップＳ３３）。ステップＳ３３においては、例えば、各オブジェクトの位置、傾き、又は隣接するオブジェクト間の位置関係のうちの少なくとも１以上が評価されることが好ましい。また、よりクライアントの姿勢に対してより正確な評価をするという観点から、各オブジェクトの位置、傾き、及び隣接するオブジェクト間の位置関係の全てを評価することがより好ましい。
【０１０８】
各オブジェクトの位置は、例えば、各オブジェクトの重心点と、重心線３１８までの距離に基づいて評価することが好ましい。各オブジェクトの傾きは、例えば、各オブジェクトを構成する横のラインが床面と平行か否か（オブジェクトが左右どちらかに傾斜していないか）に基づいて評価することが好ましい。なお、オブジェクトの重心点と、重心線３１８までの距離がゼロ、または所定の距離以下の場合、該オブジェクトの位置は正常であると評価される。また、オブジェクトを構成する横のラインが床面と略平行の場合、該オブジェクトの傾きは正常であると評価される。
【０１０９】
隣接するオブジェクト間の位置関係は、例えば、各オブジェクト間における所定の基準点同士（例えば、オブジェクトの所定の頂点同士）の距離や、各オブジェクト間の傾きの関係等が、各オブジェクトの位置及び傾きが正常である場合と比較して、どれだけズレているかに基づいて行うことが好ましい。
【０１１０】
次に、トレーナー側端末４は、ステップＳ３３におけるオブジェクトの評価結果に基づいて、予め設定された複数の姿勢パターンの中からクライアントの姿勢パターンを決定する（ステップＳ３４）。ステップＳ３４では、例えば、ステップＳ３３におけるオブジェクトの評価結果に基づいて、予め設定された複数の特徴候補の中からクライアントの姿勢に見られる特徴を選択し、選択された特徴に基づいて、姿勢パターンを決定することが好ましい。
【０１１１】
なお、姿勢パターンとは、例えば、所定の静止状態または動作状態をとらせたときに一般的に見られることの多い姿勢のタイプに基づいて分類されたものである。姿勢パターンは、例えば、立位姿勢正面、立位姿勢側面、オーバーヘッド・スクワット正面、オーバーヘッド・スクワット側面等の、評価対象の種類毎に設定されていることが好ましい。なお、ステップＳ３４において決定された特徴及び／又は姿勢パターンは、例えば、後述のステップＳ６における運動メニューの決定に利用されることが好ましい。
【０１１２】
なお、ステップＳ３３におけるオブジェクト位置等の評価、及びステップＳ３４における特徴の決定及び姿勢パターンの決定は、トレーナー側端末４において自動的におこなっても良いし、トレーナーがオブジェクト位置等を評価し、クライアントの姿勢に見られる特徴及び姿勢パターンをトレーナー側端末４に選択入力することで行っても良い。
【０１１３】
また、トレーナー側端末４は、ステップＳ３３における評価結果に基づいて、クライアントの筋の状態を推察する（ステップＳ３５）。図１０は、本発明の実施の形態の少なくとも１つに対応する、筋の状態の評価に関する模式図である。図１０の例では、立位姿勢を右側面から撮像した画像に基づいて作成されたオブジェクト画像を用いた場合の、筋の状態の評価を示している。
【０１１４】
オブジェクト画像３２１は、頭部オブジェクト３２２、胸郭オブジェクト３２３、骨盤オブジェクト３２４、膝部オブジェクト３２５、足部オブジェクト３２６、及び複数の連結線３２７ａ〜ｄから構成されている。マーカ３３１ａ〜ｄは、緊張（短縮）した状態にある筋（以下、「緊張筋」ともいう）の位置を示している。また、マーカ３３２ａ〜ｅは、弛緩（弱化）した状態にある筋（以下、「弛緩筋」ともいう）の位置を示している。なお、マーカ３３１ａ〜ｄによって示される緊張筋、及びマーカ３３２ａ〜ｅによって示される弛緩筋の具体例は、図１０中に例示している。なお、図示はしないが、重心線を表示する場合、例えば、外踝の約２ｃｍ前方から床面への垂直線を重心線とすることが好ましい。
【０１１５】
マーカ３３１ａに対応する位置にある筋は、例えば、連結線３２７と胸郭オブジェクト３２３の上辺とがなす鋭角の角度が、各オブジェクトの位置及び傾きが正常な場合よりも小さくなっていることに基づいて、緊張筋であると推察されている。また、マーカ３３２ａに対応する位置にある筋は、例えば、連結線３２７と頭部オブジェクト３２２の下辺とがなす鈍角の角度が、各オブジェクトの位置及び傾きが正常な場合よりも大きくなっていることに基づいて、弛緩筋であると推察されている。
【０１１６】
また、マーカ３３２ｃに対応する位置にある筋は、例えば、胸郭オブジェクト３２３の右辺の中点の位置から、胸郭オブジェクト３２３の右辺上を通って骨盤オブジェクト３２４の右上方の頂点へと至る経路の距離が、各オブジェクトの位置及び傾きが正常な場合よりも長くなっていることに基づいて、弛緩筋であると推察されている。
【０１１７】
上記のように、例えば、オブジェクトや連結線などにより形成される角の大きさや、オブジェクトや連結線上の所定の基準点同士の直線距離や経路距離など、所定の筋評価項目を、筋評価項目毎に設定された所定の筋評価基準に基づいて評価することで、筋の状態を推察することが可能である。
【０１１８】
なお、ステップＳ３５における筋の状態の推察は、トレーナー側端末４において自動的におこなっても良いし、トレーナーが所定の筋評価項目を所定の筋評価基準に基づいて評価し、緊張筋または弛緩筋に関する情報をトレーナー側端末４に入力することで行っても良い。また、各姿勢パターンと、各姿勢パターンにおける筋の状態の推察結果とを関連付けて、予め記憶部に記憶しておいても良い。このような構成により、例えば、クライアントの姿勢パターンを決定するだけで、その姿勢パターンに対応する筋の状態の推察結果を得ることができるため、処理負荷を軽減することが可能になる。
【０１１９】
なお、ステップＳ３５において推察された筋の状態は、例えば、図１０に示すようなオブジェクト画像とマーカとを一体的に表示したような画像を用いて、クライアントに示すことが好ましい。このような構成により、クライアントは、自己の身体の状況を把握することが容易になる。
【０１２０】
また、筋の状態の推察結果は、例えば、後述のステップＳ６における運動メニューの決定に利用されることが好ましい。具体的には、ステップＳ６において、緊張筋を緩める運動及び弛緩筋を強化するような運動メニューが選択されることが好ましい。
【０１２１】
図６のフローチャートの説明に戻る。トレーナー側端末４は、ステップＳ３における姿勢評価に関する画像を表示する（ステップＳ４）。図１１は、本発明の実施の形態の少なくとも１つに対応する、姿勢評価に関する画像を表示する表示画面の一例である。トレーナー側端末４の表示画面には、姿勢種別表示欄４０１、現在画像表示欄４０２、特徴表示欄４０３、過去画像表示欄４０４、目標画像／非目標画像表示欄４０５、及びコメント欄４０６が表示されている。
【０１２２】
姿勢種別表示欄４０１は、評価対象となっている姿勢の種別を表示する欄である。図１１の例では、「立位姿勢正面」と表示されており、立位姿勢を正面から撮像した画像が評価対象となっている。姿勢種別表示欄４０１は、例えば、タッチ操作などの入力を受け付けることにより、他の姿勢種別に変更可能であることが好ましい。
【０１２３】
現在画像表示欄４０２は、ステップＳ３において評価した、現在のクライアントの姿勢に関する現在画像を表示する欄である。現在画像としては、例えば、ステップＳ２において撮像された画像、ステップＳ２において撮像された画像に基づいて生成された所定のオブジェクトの画像、又は、ステップＳ２において撮像された画像と該画像に基づいて生成された所定のオブジェクトとを一体的に表示する画像であることが好ましい。図１１の例において、現在画像表示欄４０２には、ステップＳ２において撮像された画像と、該画像に基づいて生成された所定のオブジェクトとを一体的に表示した画像が表示されており、さらに、各オブジェクトの近傍には、各オブジェクトの傾斜角度が表示されている。このような構成により、トレーナー及びクライアントは、クライアントの現在の身体の状況を把握することが容易になる。また、現在画像表示欄４０２の下部には、ステップＳ３４において決定されたクライアントの姿勢パターンが表示されている。
【０１２４】
特徴表示欄４０３には、現在のクライアントの姿勢に見られる特徴が示されている。特徴表示欄４０３に表示される特徴は、例えば、ステップＳ３４において決定された特徴である。図１１の例では、「胸郭  右傾斜」のチェックボックスにチェックが付いており、これは、現在画像表示欄４０２に表示された現在画像において、胸郭が右方向に傾斜していることを示している。また、「胸郭  右傾斜」のチェックボックスの下部には、「（５０％改善）」と表示されている。これは、前回または初回等の過去の運動指導時からの改善度合いを示している。改善度合いは、過去と現在の姿勢に関する情報を比較して、トレーナー側端末４によって算出されるものであることが好ましいが、トレーナーが入力したものであっても良い。改善度合いを表示することで、クライアントに運動指導の効果を実感させ易くなり、運動指導を受け続ける動機付けを与えることが可能になる。
【０１２５】
過去画像表示欄４０４は、過去に撮像されたクライアントの姿勢に関する過去画像を表示する欄である。過去画像としては、過去において撮像されたクライアントの姿勢画像、過去において撮像されたクライアントの姿勢画像に基づいて生成された所定のオブジェクトの画像、又は、過去において撮像されたクライアントの姿勢画像と該画像に基づいて生成された所定のオブジェクトとを一体的に表示する画像であることが好ましい。過去画像表示欄４０４の近傍には、過去画像表示欄４０４に表示された画像が撮像された年月日が表示されることが好ましく、図１０の例では、過去画像表示欄４０４の下部に「２０１７年Ｗ月Ｘ日」と、撮像された年月日が表示されている。
【０１２６】
また、過去画像表示欄４０４には、例えば、直近の過去画像が表示されても良いし、タッチ操作などの入力を受け付けることにより、トレーナーやクライアントが希望する任意の年月日の過去画像を表示しても良い。現在画像と過去画像とを比較可能な態様で表示することにより、姿勢の改善度合いをクライアントに把握させ易くなる。なお、過去画像を表示するための情報は、トレーナー側端末４又はサーバ装置３の記憶部から取得する。
【０１２７】
また、より姿勢の改善度合いをクライアントに把握させ易くするという観点からは、例えば、過去画像と現在画像とを重ね合わせて一体的にしたような画像を生成し、表示することが好ましい。具体的には、ステップＳ２において撮像された画像に基づいて生成された所定のオブジェクトの画像と、過去において撮像されたクライアントの姿勢画像に基づいて生成された所定のオブジェクトの画像とに基づいて、それらを所定の基準点（例えば、重心線）が重なるように重ね合わせたような画像を生成し、表示することが好ましい。このような構成により、現在画像におけるオブジェクトと過去画像におけるオブジェクト間の変化が容易に把握でき、結果として、クライアントに姿勢の改善度合いをより把握させ易くなる。
【０１２８】
目標画像／非目標画像表示欄４０５は、姿勢種別表示欄４０１に表示された姿勢の種別に対応する、クライアントが目標とすべき姿勢を表す目標画像、又は、クライアントの姿勢における所定の評価基準を満たさない要素の少なくとも一部が共通する、クライアントが目標とすべきではない姿勢を表す非目標画像を表示する欄である。非目標画像の具体例としては、ステップＳ３４において決定されたクライアントの姿勢パターンにおける特徴を顕著に表したような画像が挙げられる。なお、目標画像又は非目標画像を表示するための情報は、トレーナー側端末４又はサーバ装置３の記憶部から取得する。
【０１２９】
目標画像／非目標画像表示欄４０５に表示される画像は、例えば、トレーナーがトレーナー側端末４へとタッチ操作などの入力をすることにより、選択可能であることが好ましい。現在画像と、目標画像又は非目標画像とを比較可能な態様で表示することにより、クライアントの現在の姿勢がどのような点で問題を抱えているのかを、クライアントに把握させ易くなる。また、クライアントの現在の姿勢がどのような点で問題を抱えているのかを、クライアントにより把握させ易くするという観点からは、例えば、現在画像と、目標画像又は非目標画像とを重ね合わせて一体的にしたような画像を生成して、表示することが好ましい。具体的には、過去画像表示欄４０４について述べた態様と同様の構成を採用することが好ましい。
【０１３０】
コメント欄４０６は、現在のクライアントの姿勢に関する評価についてのコメントを表示する欄である。コメント欄４０６に表示されるコメントは、例えば、ステップＳ３における評価結果に基づいてトレーナー側端末４によって自動的に生成されたものでも良いし、トレーナーが入力したものであっても良い。姿勢に関する評価についてのコメントを表示することにより、クライアントの現在の姿勢がどのような点で問題を抱えているのかを、クライアントに把握させ易くなる。
【０１３１】
図６のフローチャートの説明に戻る。トレーナー側端末４は、ステップＳ３における姿勢評価の結果、及びステップＳ１において入力されたクライアントの身体の状況に関する情報に基づいて、クライアントの現在のステージを決定する（ステップＳ５）。クライアントのステージは、例えば、図５に示されるような複数のステージの中から選択されることが好ましい。
【０１３２】
次に、トレーナー側端末４は、ステップＳ１において入力されたクライアントの身体の状況に関する情報、ステップＳ３４において決定された姿勢パターン、又はステップＳ３５における筋の状態の推察結果のうち少なくとも１以上に基づいて、クライアントに実施させる運動メニューを決定する（ステップＳ６）。よりクライアントに適した運動メニューを決定するという観点からは、ステップＳ６では、例えば、クライアントの身体の状況に関する情報、及び姿勢パターンに基づいて、運動メニューを決定することが好ましく、クライアントの身体の状況に関する情報、姿勢パターン、及び筋の状態の推察結果に基づいて、運動メニューを決定することがより好ましい。
【０１３３】
図１２は、本発明の実施の形態の少なくとも１つに対応する、マスタテーブルの一例である。ステップＳ６では、例えば、図６に示すようなマスタテーブルを参照して、クライアントに実施させる運動メニューを決定する。
【０１３４】
マスタテーブル５０１は、症状部位５０２、症状種別５０３、及び症状レベル５０４といったステップＳ１において入力されたクライアントの情報と、ステップＳ３４において決定された姿勢パターン５０５と、クライアントに実施させる運動メニュー５０６とを、関連付けて格納している。
【０１３５】
例えば、ステップＳ１において入力された症状がなく、ステップＳ３４において決定された姿勢パターン５０５が「パターンＡ−１」の場合、ステップＳ６では、クライアントに実施させる運動メニュー５０６として、「運動メニューＡ１」が選択される。また、例えば、ステップＳ１において入力された症状がなく、ステップＳ３４において決定された姿勢パターン５０５が「パターンＢ−１」の場合、ステップＳ６では、クライアントに実施させる運動メニュー５０６として、「運動メニューＢ１」が選択される。
【０１３６】
ここで、「パターンＡ−１」とは、例えば、ステップＳ３において評価されたクライアントの姿勢画像が、立位姿勢正面の画像であって、ステップＳ３４において決定されたクライアントの姿勢パターンが「立位姿勢正面・パターン１」である場合を示す。また、「パターンＢ−１」とは、例えば、ステップＳ３において評価されたクライアントの姿勢画像が、オーバーヘッド・スクワットを正面から撮像した画像であって、ステップＳ３４において決定されたクライアントの姿勢パターンが「オーバーヘッド・スクワット・パターン１」である場合を示す。
【０１３７】
また、例えば、ステップＳ１において、左肩部に運動後に生じる痛みがあり、その痛みの度合いが１〜３の範囲にあるとの入力さがされていた場合であって、ステップＳ３４において決定された姿勢パターン５０５が「パターンＡ−１」の場合は、ステップＳ６では、クライアントに実施させる運動メニュー５０６として、「運動メニューＡ１１」が選択される。なお、投薬やフィジカルセラピー等により症状が抑えられている場合は、機能的動作の向上のためにクライアントに実施させる運動メニュー５０６として、「運動メニューＡ１」が選択されても良い。
【０１３８】
クライアントが複数の部位に症状を抱えている場合は、例えば、全ての症状に基づいて複数の運動メニューを選択しても良いし、最も症状レベルの高い症状に基づいて運動メニューを決定しても良い。また、各症状の間で優先度を設定し、優先度の高い症状に基づいて、運動メニューを決定しても良い。
【０１３９】
同様に、ステップＳ３４において複数種類の姿勢それぞれについて姿勢パターンを決定している場合は、全ての姿勢パターンに基づいて複数の運動メニューを選択しても良いし、例えば、正常な状態から最も離れていると評価される姿勢パターン等の所定の姿勢パターンに基づいて運動メニューを決定しても良い。また、各姿勢パターンの間で優先度を設定し、優先度の高い姿勢パターンに基づいて、運動メニューを決定しても良い。
【０１４０】
運動メニューには、例えば、少なくとも１種類以上の運動が含まれる。また、運動メニューには、該運動を行なうべき回数が含まれていることが好ましい。トレーナー側端末４には、ステップＳ６において決定された運動メニューに関する情報が表示される。表示される運動メニューに関する情報には、運動の名称、運動を実施する回数に加えて、例えば、運動のやり方を示す画像、運動の目的、運動の優先度などが含まれることが好ましい。このような構成により、クライアントに対して最も効果的な運動を、適切に実施させることが容易になる。また、運動の目的を理解して意識する結果、運動の効果をより高めることが可能になる。
【０１４１】
トレーナーは、ステップＳ６において決定された運動メニューの中から、例えば、優先度などを考慮して、クライアントにその場で実施させる運動、及びクライアントの自宅等で実施させる運動を決定する。
【０１４２】
図６のフローチャートの説明に戻る。トレーナー側端末４は、ステップＳ６において決定された運動メニューの中で、実際にクライアントがその場で実施した運動メニュー、実施した回数等の運動実績に関する情報の入力を受け付ける（ステップＳ７）。次に、トレーナー側端末４は、ステップＳ７において入力された運動実績に関する情報を、サーバ装置３に送信する（ステップＳ８）。
【０１４３】
なお、ステップＳ１において入力されたクライアントに関する情報、ステップＳ２において撮像されたクライアントの姿勢画像に関する情報、ステップＳ３において評価されたクライアントの姿勢の評価に関する情報、ステップＳ５において決定されたクライアントの属するステージに関する情報、ステップＳ６において決定された運動メニューに関する情報は、ステップＳ８において、運動実績に関する情報とあわせてサーバ装置３に送信されても良いし、各ステップのそれぞれにおいて、サーバ装置３に送信されても良い。
【０１４４】
また、ステップＳ１〜ステップＳ８までの各処理は、クライアント側端末１においても実行可能であることが好ましい。このような構成により、例えば、トレーナーからクライアントへの遠隔的な運動指導が可能になる。また、本実施の形態の変形例である、クライアント側端末１とサーバ装置３のみによる、トレーナーを介さない運動のプロセス管理を行うことも可能になる。
【０１４５】
また、ステップＳ３〜ステップＳ６までの各処理は、サーバ装置３において実行しても良い。このような構成により、トレーナー側端末４またはクライアント側端末１にかかる処理負荷を軽減することが可能になる。
【０１４６】
次に、サーバ装置３は、ステップＳ８において送信された情報を受信する（ステップＳ９）。次に、サーバ装置３は、受信した情報に基づいて、サーバ装置３の記憶部に記憶されているクライアントに関連付けられた情報を更新する（ステップＳ１０）。ステップＳ８〜ステップＳ１０までの各処理は、例えば、トレーナーがクライアントと対面して運動指導を行う場合に実施される。
【０１４７】
以下のステップＳ１１〜ステップＳ２３までの各処理は、例えば、トレーナーによるクライアントへの対面指導の後、クライアントがトレーナーと離れた場所（例えば、クライアントの自宅）にて、運動メニューを実施する場合の処理である。クライアント側端末１にてアプリケーションが起動され、サーバ装置３による認証等が完了すると、クライアント側端末１において本システムを利用することが可能になり、例えば、クライアントに関連付けられた情報がクライアント側端末１に表示可能になる。
【０１４８】
まず、クライアント側端末１において、クライアントが利用可能なサービス項目の中から、クライアントが希望するサービスの選択を受け付ける（ステップＳ１１）。選択できるサービス項目としては、例えば、姿勢評価や運動実績の履歴や指導プロセスに関する情報などの閲覧、自宅で撮像した姿勢画像の評価、トレーナーとのコミュニケーションなどが挙げられるが、これらに限定されるわけではない。
【０１４９】
ここで、トレーナーとのコミュニケーションとは、例えば、トレーナーとクライアント間で意思や情報の伝達を行うことであり、具体的には、指導プロセスや運動メニューの実施方法などに関する質問をトレーナーに送ること、該質問に対する回答を閲覧すること、クライアントが自宅で実施した運動メニューをトレーナーへ報告すること、クライアントが自宅で実施した運動の様子を撮像した画像をトレーナーへ送ること、自宅で実施する運動または実施した運動に対するトレーナーからの評価やアドバイスを閲覧すること等が挙げられるが、これらに限定されるわけではない。
【０１５０】
ステップＳ１１において、トレーナーとのコミュニケーションが選択された場合、クライアント側端末１は、トレーナーへ送るメッセージ及び／又は画像（以下、「投稿内容」ともいう）の入力を受け付ける（ステップＳ１２）。次に、クライアント側端末１は、ステップＳ１２において入力を受け付けた投稿内容に関する情報を、サーバ装置３に送信する（ステップＳ１３）。
【０１５１】
次に、サーバ装置３は、ステップＳ１３において送信された情報を受信する（ステップＳ１４）。ステップＳ１４において受信した情報は、サーバ装置３の記憶部に記憶され、クライアント側端末１又はトレーナー側端末４からの要求に応じて、要求元の端末に送信される。
【０１５２】
次に、トレーナー側端末４から要求があった場合、サーバ装置３は、記憶部に記憶された投稿内容に関する情報を、トレーナー側端末４に送信する（ステップＳ１５）。次に、トレーナー側端末４は、ステップＳ１５において送信された情報を受信する（ステップＳ１６）。次に、トレーナー側端末４は、ステップＳ１６において受信した情報に基づき、クライアントの投稿内容を表示する（ステップＳ１７）。
【０１５３】
次に、トレーナー側端末４は、クライアントへ送る投稿内容の入力を受け付ける（ステップＳ１８）。ステップＳ１８における投稿内容としては、例えば、クライアントの質問に対する回答、クライアントが自宅で実施した運動メニューに対する評価やアドバイス（例えば、正しい運動姿勢を示す画像など）、クライアントが自宅で実施すべき運動メニューに関する指示などが挙げられるが、これらに限定されるわけではない。
【０１５４】
次に、トレーナー側端末４は、ステップＳ１８において入力を受け付けた投稿内容に関する情報を、サーバ装置３に送信する（ステップＳ１９）。次に、サーバ装置３は、ステップＳ１９において送信された情報を受信する（ステップＳ２０）。ステップＳ２０において受信した情報は、サーバ装置３の記憶部に記憶され、クライアント側端末１又はトレーナー側端末４からの要求に応じて、要求元の端末に送信される。
【０１５５】
次に、クライアント側端末１から要求があった場合、サーバ装置３は、記憶部に記憶された投稿内容に関する情報を、クライアント側端末１に送信する（ステップＳ２２）。次に、クライアント側端末１は、ステップＳ２２において送信された情報を受信する（ステップＳ２３）。次に、クライアント側端末１は、ステップＳ２３において受信した情報に基づき、トレーナーの投稿内容を表示し（ステップＳ１７）、終了する。
【０１５６】
ステップＳ１７及びステップＳ２３においては、例えば、投稿内容の一覧性の向上や投稿の経緯を把握し易くするという観点から、投稿された日時等の時系列に沿って、トレーナーの投稿内容とクライアントの投稿内容の双方を表示することが好ましい。
【０１５７】
ステップＳ１２〜Ｓ２３までのステップを有することにより、例えば、従来はトレーナーの目が届かなかった、クライアントが自宅で実施した運動に関しても、トレーナーが十分に関与できるようになり、クライアントの運動の質を向上させ、クライアントの身体の状態を改善させ易くなる。また、クライアントとトレーナー間で認識の相違などが生じる可能性を低下させ、クライアントの現状から目標に到達するまでの指導プロセスを、両者の間で十分に共有することが可能になる。
【符号の説明】
【０１５８】
１      クライアント側端末
２      通信ネットワーク
３      サーバ装置
４      トレーナー側端末
１１      制御部
１２      ＲＡＭ
１３      記憶部
１４      サウンド処理部
１５      サウンド出力装置
１６      センサ部
１７      フレームメモリ
１８      グラフィックス処理部
１９      表示部
２０      通信インタフェース
２１      インタフェース部
２２      入力部
２３      カメラ部
３１      制御部
３２      ＲＡＭ
３３      記憶部
３４      通信インタフェース
４１      制御部
４２      ＲＡＭ
４３      記憶部
４４      サウンド処理部
４５      サウンド出力装置
４６      センサ部
４７      フレームメモリ
４８      グラフィックス処理部
４９      表示部
５０      通信インタフェース
５１      インタフェース部
５２      入力部
５３      カメラ部
【図１】
2019008771.tif 000003
【図２】
2019008771.tif 000004
【図３】
2019008771.tif 000005
【図４】
2019008771.tif 000006
【図５】
2019008771.tif 000007
【図６】
2019008771.tif 000008
【図７】
2019008771.tif 000009
【図８】
2019008771.tif 000010
【図９】
2019008771.tif 000011
【図１０】
2019008771.tif 000012
【図１１】
2019008771.tif 000013
【図１２】
2019008771.tif 000014
【国際調査報告】
2019008771.tif 000015
2019008771.tif 000016
2019008771.tif 000017
2019008771.tif 000018